【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段により入力された画像データに応じた画像を表示手段に表示させる表示制御手段と、
前記表示制御手段により、第１画像が表示され、その後、第２画像が表示される場合において、前記第１画像の表示期間を含み、且つ、前記第２画像の表示期間を含まない期間の露光により得られる撮影画像であって、前記表示制御手段により表示される前記第１画像の表示面の少なくとも一部の撮影画像を取得する取得手段と、
前記入力手段により入力された画像データに対する画像処理を前記取得手段により取得された撮影画像に基づいて実行する画像処理手段と、
を有することを特徴とする画像処理装置。
【請求項２】
前記表示制御手段は、各画像を複数のサブフィールドに時分割して表示させ、
前記取得手段は、前記第１画像を表示するための前記複数のサブフィールドをすべて含む期間の露光により得られる前記撮影画像を取得することを特徴とする請求項１に記載の画像処理装置。
【請求項３】
前記撮影画像は、前記表示制御手段により表示された画像をライン単位で撮像する撮像手段により得られる画像であることを特徴とする請求項２に記載の画像処理装置。
【請求項４】
前記第１画像を表示するための前記複数のサブフィールドに対応する期間に露光が行われ、且つ、他の画像を表示するためのサブフィールドに対応する期間に露光が行われない前記撮像手段のライン数に応じたライン数情報を特定する特定手段を有し、
前記取得手段は、前記第１画像が表示される表示面のうち、前記特定手段により特定されたライン数情報に応じた領域の撮影画像を前記画像処理のために取得することを特徴とする請求項３に記載の画像処理装置。
【請求項５】
前記取得手段は、
前記第１画像における第１ラインから前記ライン数情報に応じたライン数の領域である第１ライン領域の撮影画像を前記画像処理のために取得し、
前記第２画像における前記第１ラインに前記ライン数を加算した第２ラインから前記ライン数情報に応じたライン数の領域である第２ライン領域の撮影画像を前記画像処理のために取得することを特徴とする請求項４に記載の画像処理装置。
【請求項６】
前記第１ライン領域のラインは、前記第１画像の前の垂直ブランキング期間内に露光期間が開始し、前記第１画像の後の垂直ブランキング期間内に露光期間が終了し、
前記第２ライン領域のラインは、前記第２画像の前の垂直ブランキング期間内に露光期間が開始し、前記第２画像の後の垂直ブランキング期間内に露光期間が終了することを特徴とする請求項５に記載の画像処理装置。
【請求項７】
前記撮像手段は、
前記第１画像の前の垂直ブランキング期間内に前記第１画像の前の画像の前記第１ライン領域のラインを読み出し、前記第１画像の後の垂直ブランキング期間内に前記第１画像の前記第１ライン領域のラインを読み出し、
前記第２画像の前の垂直ブランキング期間内に前記第２画像の前の画像の前記第２ライン領域のラインを読み出し、前記第２画像の後の垂直ブランキング期間内に前記第２画像の前記第２ライン領域のラインを読み出すことを特徴とする請求項６に記載の画像処理装置。
【請求項８】
前記第１画像の前の垂直ブランキング期間情報を基に前記第１画像の前の垂直ブランキング期間内に読み出し可能な第１の最大ライン数を決定するライン数決定手段を有し、
前記第１ライン領域のライン数は、前記第１の最大ライン数であることを特徴とする請求項５〜７のいずれか１項に記載の画像処理装置。
【請求項９】
前記第１画像の前の垂直ブランキング期間情報を基に前記第１画像の前の垂直ブランキング期間内に読み出し可能な第１の最大ライン数を決定し、前記第２画像の前の垂直ブランキング期間情報を基に前記第２画像の前の垂直ブランキング期間内に読み出し可能な第２の最大ライン数を決定するライン数決定手段を有し、
前記第１ライン領域のライン数は、前記第１の最大ライン数であり、
前記第２ライン領域のライン数は、前記第２の最大ライン数であることを特徴とする請求項５〜７のいずれか１項に記載の画像処理装置。
【請求項１０】
撮像領域を決定する領域決定手段を有し、
前記第１ラインは、前記撮像領域の先頭ラインであり、
前記第１ライン領域及び前記第２ライン領域は、前記撮像領域に含まれることを特徴とする請求項５〜９のいずれか１項に記載の画像処理装置。
【請求項１１】
前記撮像手段は、前記表示制御手段により表示される前記第１画像の直後に表示される画像に対して前記第１ラインからライン単位で順次撮像し、
前記取得手段は、前記撮像手段により撮像された前記第１画像の直後の画像のうちの前記第１ライン領域の画像を前記画像処理のために取得することを特徴とする請求項５〜１０のいずれか１項に記載の画像処理装置。
【請求項１２】
前記表示制御手段により表示される画像が動画像及び静止画像のいずれであるのかを判定する画像判定手段を有し、
前記撮像手段は、前記画像判定手段により動画像であると判定された場合には、前記表示制御手段により表示される前記第１画像に対して前記第１ラインからライン単位で順次撮像し、その後、前記表示制御手段により表示される前記第２画像に対して前記第１ラインとは異なる前記第２ラインからライン単位で順次撮像し、
前記取得手段は、前記画像判定手段により動画像であると判定された場合には、前記撮像手段により撮像された前記第１画像のうちの前記第１ライン領域を取得し、前記撮像手段により撮像された前記第２画像のうちの前記第２ライン領域を取得し、
前記撮像手段は、前記画像判定手段により静止画像であると判定された場合には、前記表示制御手段により表示される前記第１画像に対してライン単位で順次撮像し、
前記取得手段は、前記画像判定手段により静止画像であると判定された場合には、前記撮像手段により撮像された前記第１画像の全ライン領域を取得することを特徴とする請求項５〜１１のいずれか１項に記載の画像処理装置。
【請求項１３】
前記表示制御手段は、前記画像処理手段により画像処理された画像を表示することを特徴とする請求項１〜１２のいずれか１項に記載の画像処理装置。
【請求項１４】
前記画像処理手段が実行する画像処理は、環境光に基づく入力画像の色調整、投影画像の形状調整、投影画像のフォーカス調整、及び、複数の画像表示を行う場合の表示位置の調整処理のうちの少なくともいずれか１つであることを特徴とする請求項１〜１３のいずれか１項に記載の画像処理装置。
【請求項１５】
画像データを入力する入力手段を有する画像処理装置が行う画像処理方法であって、
前記入力手段により入力された画像データに応じた画像を表示し、
第１画像が表示され、その後、第２画像が表示される場合において、前記第１画像の表示期間を含み、且つ、前記第２画像の表示期間を含まない期間の露光により得られる撮影画像であって、前記第１画像の表示面の少なくとも一部の撮影画像を取得し、
前記入力手段により入力された画像データに対する画像処理を前記取得された撮影画像に基づいて実行することを特徴とする画像処理方法。
【請求項１６】
コンピュータを、請求項１〜１４のいずれか１項に記載の画像処理装置の各手段として動作させるためのプログラム。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】０００１
【補正方法】変更
【補正の内容】
【０００１】
本発明は、画像処理装置、画像処理方法及びプログラムに関する。
【手続補正４】
【補正対象書類名】明細書
【補正対象項目名】０００６
【補正方法】変更
【補正の内容】
【０００６】
本発明の画像処理装置は、画像データを入力する入力手段と、前記入力手段により入力された画像データに応じた画像を表示手段に表示させる表示制御手段と、前記表示制御手段により、第１画像が表示され、その後、第２画像が表示される場合において、前記第１画像の表示期間を含み、且つ、前記第２画像の表示期間を含まない期間の露光により得られる撮影画像であって、前記表示制御手段により表示される前記第１画像の表示面の少なくとも一部の撮影画像を取得する取得手段と、前記入力手段により入力された画像データに対する画像処理を前記取得手段により取得された撮影画像に基づいて実行する画像処理手段と、を有することを特徴とする。